(57)【要約】【課題】中央部に位置して直径が均一であるストレート状円柱部とその両端側に位置して外方端に向かうにつれて次第に縮径するテーパ付円柱部とを有する用紙搬送用のローラの外周面に付着した紙粉の取り除きを良好に行う。【解決手段】用紙搬送用のローラのストレート状円柱部の外周面に当接される紙粉取り中央部ブレード２７ａと、ローラのテーパ付円柱部の外周面に当接される紙粉取り端部ブレード２７ｂ，２７ｃとを有し、紙粉取り中央部ブレード２７ａと紙粉取り端部ブレード２７ｂ，２７ｃとがローラの回転方向でオーバーラップされている。このため、紙粉取り中央部ブレード２７ａと紙粉取り端部ブレード２７ｂ，２７ｃとの間にローラの回転中心軸方向に沿った隙間が発生せず、ローラの外周面に紙粉の取り残しが生じない。【選択図】    図５
2004352404.tif 000002
【特許請求の範囲】
【請求項１】
中央部に位置して直径が均一であるストレート状円柱部とその両端側に位置して外方端に向かうにつれて次第に縮径するテーパ付円柱部とを有する用紙搬送用のローラにおける前記ストレート状円柱部の外周面に当接される紙粉取り中央部ブレードと、
前記ローラにおける前記テーパ付円柱部の外周面に当接される紙粉取り端部ブレードと、
を有し、
前記紙粉取り中央部ブレードと前記紙粉取り端部ブレードとが前記ローラの回転方向でオーバーラップされている紙粉取り装置。
【請求項２】
前記紙粉取り中央部ブレードの両側に位置する前記紙粉取り端部ブレードは一体に形成されている請求項１記載の紙粉取り装置。
【請求項３】
前記紙粉取り中央部ブレードと前記紙粉取り端部ブレードとがブレード固定部材に取り付けられ、前記ブレード固定部材が装置本体に着脱可能に取り付けられている請求項１又は２記載の紙粉取り装置。
【請求項４】
前記紙粉取り中央部ブレードと前記紙粉取り端部ブレードとにより掻き取られた紙粉を貯留する紙粉貯留ケースが設けられ、この紙粉貯留ケースが前記紙粉取り中央部ブレードと前記紙粉取り端部ブレードとに対して独立して着脱可能に装置本体に取り付けられている請求項１ないし３のいずれか一記載の紙粉取り装置。
【請求項５】
用紙収納部から排紙部に到る用紙搬送路と、
前記用紙搬送路上に設けられた画像形成部と、
前記用紙搬送路上の前記画像形成部の上流側に配置された請求項１ないし４のいずれか一記載の紙粉取り装置と、
を有する画像形成装置。
【請求項６】
前記ローラはレジストローラである請求項５記載の画像形成装置。
【発明の詳細な説明】
【０００１】
【発明の属する技術分野】
本発明は、紙粉取り装置及び画像形成装置に関する。
【０００２】
【従来の技術】
従来、複写機やプリンタ等の画像形成装置においては、給紙カセット等の用紙収納部に収納された用紙が用紙搬送用のローラで搬送され、その搬送過程で用紙上に画像が形成され、画像が形成された用紙が排紙部に排紙されている。
【０００３】
用紙の搬送過程において、用紙の表面あるいは端部から紙粉が剥がれ落ち、その紙粉はローラに付着する。一旦ローラに付着した紙粉は、同じ用紙又は後続して搬送される他の用紙に付着する。
【０００４】
紙粉が付着した用紙が搬送されてその用紙に対して画像形成が行われると、形成される画像の品質が低下する。また、電子写真方式の画像形成装置の場合には、用紙に付着している紙粉が画像形成部を通過する際に紙粉がトナーに混ざって現像装置内に入り込むということが生じ易く、トナーに混ざる紙粉の量が増加するにつれて画像の品質が次第に低下する。
【０００５】
そこで、ローラに付着した紙粉を取り除き、一旦ローラに付着した紙粉が再度用紙に付着することを防止するため、ローラの外周面に紙粉取りブレードを当接させた発明が知られている（例えば、特許文献１参照）。
【０００６】
ここで、用紙を搬送するローラの一つであるレジストローラ等は、用紙の先端をグリップして搬送するときに用紙の進入状態によっては用紙にしわを発生させることがあるので、しわの発生を極力抑えるため、中央部に直径が均一であるストレート状円柱部を有してその両端側に外方端に向かうにつれて次第に縮径するテーパ付円柱部を有する形状とされている。
【０００７】
このようなレジストローラに対して当接部分が直線形状の紙粉取りブレードを当接させると、その紙粉取りブレードは中央のストレート状円柱部の外周面にはしっかりと当接されるが、テーパ付円柱部の外周面では十分な当接状態が得られなくなる。
【０００８】
そこで、上述した特許文献１の発明では、レジストローラの軸心方向に沿った方向における紙粉取りブレードの所定位置に切れ目を設け、紙粉取りブレードのたわみ具合をストレート状円柱部に対向する位置とテーパ付円柱部に対向する位置とで異ならせ、紙粉取りブレードをストレート状円柱部の外周面とテーパ付円柱部の外周面とに同じように当接させている。
【０００９】
【特許文献１】
特許第３２８１６７５号公報
【００１０】
【発明が解決しようとする課題】
しかし、上述した特許文献１に開示された発明では、切れ目を設けた紙粉取りブレードをレジストローラの外周面に当接させてレジストローラを回転させると、紙粉取りブレードには切れ目の部分でレジストローラの回転中心軸に沿った隙間が生じ易く、レジストローラの外周面における紙粉取りブレードに生じた隙間に対向する部分ではレジストローラの外周面に周方向に沿って紙粉の取り残しがリング状に発生する。
【００１１】
本発明の目的は、中央部に位置して直径が均一であるストレート状円柱部とその両端側に位置して外方端に向かうにつれて次第に縮径するテーパ付円柱部とを有する用紙搬送用のローラの外周面に付着した紙粉の取り除きを良好に行うことである。
【００１２】
【課題を解決するための手段】
請求項１記載の発明の紙粉取り装置は、中央部に位置して直径が均一であるストレート状円柱部とその両端側に位置して外方端に向かうにつれて次第に縮径するテーパ付円柱部とを有する用紙搬送用のローラにおける前記ストレート状円柱部の外周面に当接される紙粉取り中央部ブレードと、前記ローラにおける前記テーパ付円柱部の外周面に当接される紙粉取り端部ブレードとを有し、前記紙粉取り中央部ブレードと前記紙粉取り端部ブレードとが前記ローラの回転方向でオーバーラップされている。
【００１３】
したがって、ローラにおけるストレート状円柱部の外周面に付着した紙粉は紙粉取り中央部ブレードによって取り除かれ、ローラにおけるテーパ付円柱部の外周面に付着した紙粉は紙粉取り端部ブレードによって取り除かれる。さらに、紙粉取り中央部ブレードと紙粉取り端部ブレードとはローラの回転方向でオーバーラップされているので、紙粉取り中央部ブレードと紙粉取り端部ブレードとの間にローラの回転中心軸方向に沿った隙間が発生せず、ローラの外周面に紙粉の取り残しが生じない。
【００１４】
請求項２記載の発明は、請求項１記載の紙粉取り装置において、前記紙粉取り中央部ブレードの両側に位置する前記紙粉取り端部ブレードは一体に形成されている。
【００１５】
したがって、部品点数が少なくなる。
【００１６】
請求項３記載の発明は、請求項１又は２記載の紙粉取り装置において、前記紙粉取り中央部ブレードと前記紙粉取り端部ブレードとがブレード固定部材に取り付けられ、前記ブレード固定部材が装置本体に着脱可能に取り付けられている。
【００１７】
したがって、紙粉取り中央部ブレードと紙粉取り端部ブレードとの少なくとも一方を交換する場合には、ブレード固定部材を装置本体から取り外し、そのブレード固定部材に対して紙粉取り中央部ブレードや紙粉取り端部ブレードの取り外しと取り付けとを行い、その後にブレード固定部材を装置本体に取り付ける。
【００１８】
請求項４記載の発明は、請求項１ないし３のいずれか一記載の紙粉取り装置において、前記紙粉取り中央部ブレードと前記紙粉取り端部ブレードとにより掻き取られた紙粉を貯留する紙粉貯留ケースが設けられ、この紙粉貯留ケースが前記紙粉取り中央部ブレードと前記紙粉取り端部ブレードとに対して独立して着脱可能に装置本体に取り付けられている。
【００１９】
したがって、紙粉貯留ケース内に溜まった紙粉の処理は、紙粉取り中央部ブレードや紙粉取り端部ブレードを取り外すことなく紙粉貯留ケースのみを取り外ことにより行える。
【００２０】
請求項５記載の発明の画像形成装置は、用紙収納部から排紙部に到る用紙搬送路と、前記用紙搬送路上に設けられた画像形成部と、前記用紙搬送路上の前記画像形成部の上流側に配置された請求項１ないし４のいずれか一記載の紙粉取り装置とを有する。
【００２１】
したがって、この画像形成装置によれば、用紙搬送用のローラの外周面に付着した紙粉の取り除きを良好に行える。
【００２２】
請求項６記載の発明は、請求項５記載の画像形成装置において、前記ローラはレジストローラである。
【００２３】
したがって、画像形成部の直前に位置するレジストローラに付着した紙粉を取り除くことにより、画像形成部への紙粉の入り込みが最も効果的に抑えられる。
【００２４】
【発明の実施の形態】
本発明の一実施の形態を図面に基づいて説明する。本実施の形態では、画像形成装置としてタンデム方式のフルカラー複写機を示している。図１はこのフルカラー複写機１の内部構造の概略を示す正面図である。
【００２５】
フルカラー複写機１の装置本体２内の中央部にはカラー画像を形成するための画像形成部３が設けられている。この画像形成部３は、等間隔に離間させて水平向きに並列に配設された４つのドラム状の感光体４、各感光体４の外周部に配置されて電子写真プロセスにより感光体４の外周面にトナー像を形成する帯電ローラ５、現像装置６、クリーニング器７、一様に帯電された感光体４の外周面を画像データに応じたレーザ光で露光することにより静電潜像を形成する露光装置８、各感光体４の外周面に形成されたトナー像が順次転写されることによりカラー画像が形成される中間転写ベルト９等により構成されている。なお、４つの感光体４ではそれぞれＹ（イエロー）、Ｍ（マゼンタ）、Ｃ（シアン）、Ｂ（ブラック）のトナー像が形成される。
【００２６】
装置本体２の上部には、読取対象となる原稿を自動送りするＡＤＦ１０と、ＡＤＦ１０で自動送りされた原稿又はコンタクトガラス１１上に載置された原稿を読み取る読取光学系１２とが設けられている。読取光学系１２で読み取られた画像データに応じて露光装置８が駆動される。
【００２７】
装置本体２の下部には、用紙を収納する複数段、例えば４段の用紙収納部である用紙カセット１３が設けられている。これらの用紙カセット１３内に収納された用紙はピックアップローラ１４とフィードローラ１５とにより一枚ずつ分離給紙され、分離給紙された用紙は装置本体２内に設けられた用紙搬送路１６に沿って搬送される。この用紙搬送路１６に沿ってローラであるレジストローラ１７、転写ローラ１８、定着装置１９、排紙ローラ２０等が配置されている。
【００２８】
このような構成において、露光装置８の半導体レーザから各色（イエローＹ、マゼンタＭ、シアンＣ及びブラックＢ）の画像データに対応したレーザ光が出射され、そのレーザ光が帯電ローラ５により一様に帯電された各感光体４の外周面を露光することにより静電潜像が形成される。この静電潜像は現像装置６による現像処理を受けて各色（イエローＹ、マゼンタＭ、シアンＣ及びブラックＢ）のトナーで現像され、トナー像となる。これらのトナー像は、感光体４と同期して移動する中間転写ベルト９上に順次転写され、中間転写ベルト９上にはカラートナー像が形成される。
【００２９】
一方、画像形成部３での画像形成動作の開始と相前後して用紙カセット１３内からの用紙の分離給紙が開始されており、分離給紙されて用紙搬送路１６を搬送された用紙は間歇的に回転駆動するレジストローラ１７によりタイミングをとられ、中間転写ベルト９上のカラートナー像が用紙の適正な位置に転写されるタイミングでレジストローラ１７が回転駆動される。
【００３０】
レジストローラ１７が回転駆動されることにより搬送された用紙が中間転写ベルト９と転写ローラ１８との間を通過するときに、中間転写ベルト９上のカラートナー像が用紙上に転写される。用紙上に転写されたカラートナー像は定着装置１９を通過する過程で用紙上に転写され、カラートナー像が定着された用紙は排紙ローラ２０によって排紙部である排紙トレイ２１上に排紙される。
【００３１】
このような構成の下、本実施の形態の特徴的部分について順次説明する。
【００３２】
図２はレジストローラ１７と紙粉取りユニットと紙粉貯留ケースとを示す断面図、図３はその斜視図、図４は図３から紙粉貯留ケースを取り外した状態を示す斜視図である。
【００３３】
レジストローラ１７は、モータ（図示せず）に連結されて図２に示す矢印方向（反時計回り方向）に回転駆動されるレジスト駆動ローラ２２と、このレジスト駆動ローラ２２により図２に示す矢印方向（時計回り方向）に連れ回りされるレジスト従動ローラ２３とから構成されている。レジスト駆動ローラ２２はその外周部分がゴムで形成され、レジスト従動ローラ２３はその外周部分が金属で形成され、レジスト従動ローラ２３はスプリング等の付勢手段によりレジスト駆動ローラ２２に押圧されている。
【００３４】
レジスト従動ローラ２３は、中央部に位置して直径が均一であるストレート状のストレート状円柱部２３ａと、その両端側に位置して外方端に向かうにつれて次第に縮径するテーパ付円柱部２３ｂ，２３ｃとを有している（図３，図４参照）。
【００３５】
レジストローラ１７の近傍には、レジスト従動ローラ２３の外周面に付着した紙粉を取り除く紙粉取りユニット２４と、取り除いた紙粉を貯留する紙粉貯留ケース２５とが設けられている。
【００３６】
紙粉取りユニット２４は、ブレード固定部材２６と、先端縁部をレジスト従動ローラ２３のストレート状円柱部２３ａの外周面に当接させた紙粉取り中央部ブレード２７ａと、先端縁部をレジスト従動ローラ２３のテーパ付円柱部２３ｂ，２３ｃの外周面に当接させた紙粉取り端部ブレード２７ｂ，２７ｃとを有している。これらの紙粉取り中央部ブレード２７ａと紙粉取り端部ブレード２７ｂ，２７ｃとしては、可撓性を有するマイラーフィルムを用いることが好適である。紙粉取り端部ブレード２７ｂ，２７ｃは連結片２７ｄにより連結されて一体に形成されている。これらの紙粉取り中央部ブレード２７ａと紙粉取り端部ブレード２７ｂ，２７ｃには接着片２８が設けられ、接着片２８がブレード固定部材２６に接着されている。紙粉取り中央部ブレード２７ａの長手方向（レジスト従動ローラ２３の回転中心軸に沿った方向）の端部と、紙粉取り端部ブレード２７ｂ，２７ｃの長手方向（レジスト従動ローラ２３の回転中心軸に沿った方向）の端部とが、レジスト従動ローラ２３の回転方向でオーバーラップされている。図５における矢印Ａで示した部分が、オーバーラップされた部分である。
【００３７】
紙粉取りユニット２４の装置本体２への取り付けは、ブレード固定部材２６に紙粉取り中央部ブレード２７ａと紙粉取り端部ブレード２７ｂ，２７ｃとを接着固定した後、ブレード固定部材２６の長手方向（レジスト従動ローラ２３の回転中心軸に沿った方向）の一端側に設けられている位置決め凸部３０を装置本体２内に設けられている奥側側板２９に形成されている位置決めスリット３１に挿入し、装置本体２内に設けられている手前側側板（図示せず）に形成された位置決め穴から挿入したネジをブレード固定部材２６の長手方向の他端側に形成されたネジ穴３２に螺合することにより行われている。
【００３８】
紙粉貯留ケース２５はブレード固定部材２６の上方に配置され、紙粉貯留ケース２５の装置本体２への取り付けは、紙粉貯留ケース２５の長手方向（レジスト従動ローラ２３の回転中心軸に沿った方向）の一端側に設けられている位置決めボス３３を奥側側板２９に形成されている位置決め穴３４に挿入し、装置本体２内に設けられている手前側側板（図示せず）に形成された位置決め穴から挿入したネジを紙粉貯留ケース２５の長手方向の他端側に形成されたネジ穴３５に螺合することにより行われている。
【００３９】
このような構成において、画像形成時にはレジストローラ１７（レジスト駆動ローラ２２とレジスト従動ローラ２３）により挟持された用紙が図２において矢印Ｂで示すように順次搬送され、その搬送過程において用紙の表面あるいは端部から剥がれ落ちた紙粉がレジスト駆動ローラ２２やレジスト従動ローラ２３の外周面に付着する。
【００４０】
これらの紙粉のうち、レジスト従動ローラ２３の外周面に付着した紙粉は、紙粉取りユニット２４の働きにより取り除かれ、紙粉貯留ケース２５内に貯留される。
【００４１】
ここで、紙粉取りユニット２４によるレジスト従動ローラ２３の外周面に付着した紙粉の取り除きについて詳しく説明する。レジスト従動ローラ２３のストレート状円柱部２３ａの外周面に付着した紙粉は、先端縁部をこのストレート状円柱部２３ａの外周面に当接させている紙粉取り中央部ブレード２７ａにより取り除かれ、取り除かれた紙粉は紙粉貯留ケース２５内に貯留される。また、レジスト従動ローラ２３のテーパ付円柱部２３ｂ，２３ｃの外周面に付着した紙粉は、先端縁部をこのテーパ付円柱部２３ｂ，２３ｃの外周面に当接されている紙粉取り端部ブレード２７ｂ，２７ｃにより取り除かれ、取り除かれた紙粉は紙粉貯留ケース２５内に貯留される。さらに、別体として設けられている紙粉取り中央部ブレード２７ａと紙粉取り端部ブレード２７ｂ，２７ｃとは、レジスト従動ローラ２３の回転方向でオーバーラップされているので、紙粉取り中央部ブレード２７ａと紙粉取り端部ブレード２７ｂ，２７ｃとの間にレジスト従動ローラ２３の回転中心軸方向に沿った隙間が発生せず、レジスト従動ローラ２３の外周面において紙粉の取り残しが発生しない。
【００４２】
紙粉取りユニット２４によって紙粉取りが行われるレジストローラ１７は、用紙の搬送方向に沿った画像形成部３の上流側であって最も画像形成部３に近接して位置するので、このレジストローラ１７を構成するレジスト従動ローラ２３に付着した紙粉を取り除くことにより、画像形成部３への紙粉の入り込みを最も効果的に抑えることができる。
【００４３】
また、紙粉取り端部ブレード２７ｂ，２７ｃは連結片２７ｄで連結されて一体に形成されているので、部品点数や組立工定数が少なくなり、コスト低減を図ることができる。
【００４４】
装置本体２への紙粉取り中央部ブレード２７ａと紙粉取り端部ブレード２７ｂ，２７ｃとの取り付けは、紙粉取り中央部ブレード２７ａと紙粉取り端部ブレード２７ｂ，２７ｃとをブレード固定部材２６に接着して紙粉取りユニット２４を構成し、この紙粉取りユニット２４を装置本体２に取り付けることにより行っている。このため、紙粉取り中央部ブレード２７ａや紙粉取り端部ブレード２７ｂ，２７ｃが何らかの原因で変形した場合等には、紙粉取りユニット２４を装置本体２から取り外し、変形等した紙粉取り中央部ブレード２７ａや紙粉取り端部ブレード２７ｂ，２７ｃの交換を装置本体２外の十分な作業スペースを確保できる位置において行える。このため、紙粉取り中央部ブレード２７ａや紙粉取り端部ブレード２７ｂ，２７ｃの交換作業を手間をかけずに容易に行える。
【００４５】
装置本体２からの紙粉取りユニット２４の取り外しは、ブレード固定部材２６のネジ穴３２に螺合されているネジを外し、ブレード固定部材２６の一端側に設けられている位置決め凸部３０を奥側側板２９に形成されている位置決めスリット３１から抜き取る方向へ紙粉取りユニット２４を引っ張ることにより行える。
【００４６】
装置本体２への紙粉貯留ケース２５の取り付けは紙粉取りユニット２４に対して独立して行われており、装置本体２からの紙粉貯留ケース２５の取り外しは、紙粉貯留ケース２５のネジ穴３５に螺合されているネジを外し、紙粉貯留ケース２５の一端側に設けられている位置決めボス３３を奥側側板２９に形成されている位置決め穴３４から抜き取る方向へ紙粉貯留ケース２５を引っ張ることにより行える。このため、紙粉貯留ケース２５内に溜まった紙粉の処理を、紙粉取りユニット２４を装置本体２から取り外すことなく紙粉貯留ケース２５のみを取り外ことにより行え、紙粉貯留ケース２５内に溜まった紙粉の処理に際して紙粉取り中央部ブレード２７ａや紙粉取り端部ブレード２７ｂ，２７ｃを変形させたり傷付けたりすることを防止できる。
【００４７】
【発明の効果】
請求項１記載の発明の紙粉取り装置によれば、用紙搬送用のローラにおけるストレート状円柱部の外周面に付着した紙粉を紙粉取り中央部ブレードによって取り除くことができ、そのローラにおけるテーパ付円柱部の外周面に付着した紙粉を紙粉取り端部ブレードによって取り除くことができ、さらに、紙粉取り中央部ブレードと紙粉取り端部ブレードとはローラの回転方向でオーバーラップされているので、紙粉取り中央部ブレードと紙粉取り端部ブレードとの間にローラの回転中心軸方向に沿った隙間が発生せず、ローラの外周面に紙粉の取り残しを発生させることなくローラの外周面から紙粉を良好に取り除くことができる。
【００４８】
請求項２記載の発明によれば、請求項１記載の紙粉取り装置において、前記紙粉取り中央部ブレードの両側に位置する前記紙粉取り端部ブレードは一体に形成されているので、部品点数が少なくなり、コストダウンを図ることができる。
【００４９】
請求項３記載の発明によれば、請求項１又は２記載の紙粉取り装置において、前記紙粉取り中央部ブレードと前記紙粉取り端部ブレードとがブレード固定部材に取り付けられ、前記ブレード固定部材が装置本体に着脱可能に取り付けられているので、紙粉取り中央部ブレードと紙粉取り端部ブレードとの少なくともいずれか一方を交換する場合には、ブレード固定部材を装置本体から取り外し、装置本体外の広い作業スペース内でブレード固定部材に対して紙粉取り中央部ブレードや紙粉取り端部ブレードの取り外しと取り付けとを行うことができるので、紙粉取り中央部ブレードや紙粉取り端部ブレードの交換作業を手間をかけずに容易に行うことができる。
【００５０】
請求項４記載の発明によれば、請求項１ないし３のいずれか一記載の紙粉取り装置において、前記紙粉取り中央部ブレードと前記紙粉取り端部ブレードとにより掻き取られた紙粉を貯留する紙粉貯留ケースが設けられ、この紙粉貯留ケースが前記紙粉取り中央部ブレードと前記紙粉取り端部ブレードとに対して独立して着脱可能に装置本体に取り付けられているので、紙粉貯留ケース内に溜まった紙粉の処理時には紙粉取り中央部ブレードや紙粉取り端部ブレードを取り外すことなく紙粉貯留ケースのみを装置本体から取り外ことにより行うことができ、紙粉貯留ケース内に溜まった紙粉の処理時に紙粉取り中央部ブレードや紙粉取り端部ブレードを変形させたり傷付けたりすることを防止できる。
【００５１】
請求項５記載の発明の画像形成装置は、用紙収納部から排紙部に到る用紙搬送路と、前記用紙搬送路上に設けられた画像形成部と、前記用紙搬送路上の前記画像形成部の上流側に配置された請求項１ないし４のいずれか一記載の紙粉取り装置とを有するので、用紙搬送用のローラの外周面に付着した紙粉の取り除きを良好に行うことができる。
【００５２】
請求項６記載の発明によれば、請求項５記載の画像形成装置において、前記ローラはレジストローラであるので、画像形成部の直前に位置するレジストローラに付着した紙粉を取り除くことにより、画像形成部への紙粉の入り込みを最も効果的に抑えることができる。
【図面の簡単な説明】
【図１】本発明の一実施の形態のフルカラー複写機の内部構造の概略を示す正面図である。
【図２】レジストローラと紙粉取りユニットと紙粉貯留ケースとを示す断面図である。
【図３】その斜視図である。
【図４】図３の図面から紙粉貯留ケースを取り外し、レジストローラと紙粉取りユニットとを示す斜視図である。
【図５】紙粉取りユニットを示す斜視図である。
【図６】紙粉取りユニットを示す分解斜視図である。
【図７】紙粉貯留ケースを示す斜視図である。
【符号の説明】
２      装置本体
３      画像形成部
１３      用紙収納部
１６      用紙搬送路
１７      ローラ、レジストローラ
２１      排紙部
２３ａ    ストレート状円柱部
２３ｂ，２３ｃ  テーパ付円柱部
２５      紙粉貯留ケース
２６      ブレード固定部材
２７ａ    紙粉取り中央部ブレード
２７ｂ，２７ｃ  紙粉取り端部ブレード
【図１】
2004352404.tif 000003
【図２】
2004352404.tif 000004
【図３】
2004352404.tif 000005
【図４】
2004352404.tif 000006
【図５】
2004352404.tif 000007
【図６】
2004352404.tif 000008
【図７】
2004352404.tif 000009